(57)【要約】【課題】プロテクトモードを設定可能な孔版印刷装置において、ユーザーの利便性の低下を最小限に抑えるとともに、機密性のある文書情報の保護を適切に行なう。【解決手段】機密性識別情報に基づいて、画像情報に機密性が有ると判断された場合にはプロテクトモードを設定するプロテクトモード設定部８３と、プロテクトモードが設定された場合には排版ボックスの取り外しを禁止する排版ボックスロック機構６５と、特定のロック解除条件に基づいて、排版ボックスの取り外しの禁止を解除するロック解除部８４と、排版ボックスが取り外されたことまたは取り外された後に設置されたことを検出する着脱検出部６４とを備えるものとし、プロテクトモード設定部８３を、着脱検出部６４により排版ボックスが取り外されたことまたは取り外された後に設置されたことが検出された場合には、プロテクトモードを解除するものとする。【選択図】図４
2009208342.tif 000002
【特許請求の範囲】
【請求項１】
所定の画像情報に基づいて製版された製版済孔版原紙を使用して孔版印刷を行う印刷部と、該印刷部で使用された使用済孔版原紙が送り込まれる着脱可能な排版ボックスとを備えた孔版印刷装置において、
前記画像情報の機密性の有無を表す機密性識別情報に基づいて、前記画像情報に機密性が有ると判断された場合には少なくとも前記排版ボックスの取り外しを禁止するプロテクトモードを設定するプロテクトモード設定手段と、
該プロテクトモード設定手段によりプロテクトモードが設定された場合には前記排版ボックスの取り外しを禁止する排版ボックスロック手段と、
特定のロック解除条件に基づいて、前記排版ボックスロック手段による前記排版ボックスの取り外しの禁止を解除する解除手段と、
該解除手段により取り外しの禁止が解除された前記排版ボックスが取り外されたことまたは取り外された後に設置されたことを検出する着脱検出手段とを備え、
前記プロテクトモード設定手段が、前記着脱検出手段により前記排版ボックスが取り外されたことまたは取り外された後に設置されたことが検出された場合には、前記プロテクトモードを解除するものであることを特徴とする孔版印刷装置。
【請求項２】
前記排版ボックスが満タンになったことを検出する満タン検出手段をさらに備え、
前記解除手段が、前記排版ボックス検出手段により前記排版ボックスが満タンになったことが検出された場合に前記排版ボックスロック手段による前記排版ボックスの取り外しの禁止を解除するものであることを特徴とする請求項１記載の孔版印刷装置。
【請求項３】
前記排版ボックスに送り込まれる途中での前記使用済孔版原紙のジャムを検出するジャム検出手段をさらに備え、
前記解除手段が、前記ジャム検出手段により前記使用済孔版原紙のジャムが検出された場合に前記排版ボックスロック手段による前記排版ボックスの取り外しの禁止を解除するものであることを特徴とする請求項１または２記載の孔版印刷装置。
【請求項４】
前記排版ボックスが空になったことを検出する空検出手段とをさらに備え、
前記プロテクトモード設定手段が、前記着脱検出手段により前記排版ボックスが取り外されたことまたは取り外された後に設置されたことが検出され、かつ前記空検出手段により前記排版ボックスが空になったことが検出された場合に、前記プロテクトモードを解除するものであることを特徴とする請求項１から３いずれか１項記載の孔版印刷装置。
【請求項５】
前記機密性識別情報と前記画像情報とを含む印刷ジョブを受け付ける印刷ジョブ受付手段をさらに備え、
前記プロテクトモード設定手段が、前記印刷ジョブにおける前記機密性識別情報に基づいて、前記プロテクトモードを設定するものであることを特徴とする請求項１から４いずれか１項記載の孔版印刷装置。
【発明の詳細な説明】
【技術分野】
【０００１】
本発明は、画像情報に基づいて製版された製版済孔版原紙を使用して孔版印刷を行う孔版印刷装置に関するものであり、特に、画像情報の機密性を保護するプロテクトモードを設定可能な孔版印刷装置に関するものである。
【背景技術】
【０００２】
従来、製版済孔版原紙が外周面に巻着されて回転する印刷ドラムと、この印刷ドラムに圧接されて回転するプレスローラとの間に印刷用紙を挿入し、印刷ドラム内のインクを製版済孔版原紙における孔から押し出し、インクを印刷用紙に転写させて印刷を行う孔版印刷装置が提案されている。
【０００３】
ここで、上記孔版印刷装置においては、印刷したい文書のデータに基づいて穿孔した製版済孔版原紙を作成して印刷処理を行うため、印刷後、製版済孔版原紙が装置の中に残ることになる。そこで、たとえば、機密文書などを印刷した場合には、製版済孔版原紙を悪意のある第三者から守るために、製版済孔版原紙が巻装されたドラムや使用済孔版原紙が貯容される排版ボックスの取り出しを制限したり（特許文献１参照）、刷り増しを禁止したり、印刷処理の完了後に機密を保持するための動作を推奨するなどといったプロテクトモードを設定可能な孔版印刷装置が提案されている。
【特許文献１】特開２００６−１１０８９３号公報
【発明の開示】
【発明が解決しようとする課題】
【０００４】
しかしながら、上記のようなプロテクトモードが一旦設定されると、機密性のない文書を印刷する際においても、刷り増しが制限されたり、また、プロテクトモードの解除は、通常、管理者にしかできないため、排版ボックス内の使用済孔版原紙の廃棄やジャム解除などを実施するためにわざわざ管理者を呼び出す必要があり、ユーザーの使い勝手が悪くなってしまうというデメリットがある。このため、実際にはプロテクトモードを設定したまま装置を利用し続けるのが困難な場合が多かった。
【０００５】
たとえば、一部の官公庁や金融機関、軍関連の施設では、機密性の高い文書を印刷する場面が多い。したがって、このような場面では、プロテクトモードが設定された状態が継続されても、それほど問題は無い。しかしながら、孔版印刷装置の市場全体からすると、このようなケースはかなり限られたケースといえる。
【０００６】
一方、市場の大多数を占める一般の学校や会社、小売店、不動産屋、プリントショップなどの場合、機密性のある情報を印刷することは比較的少ない。しかしながら、試験問題、名簿、社内機密情報など機密性の高い文書も確実に存在し、それらを印刷する場面が想定される。このようなユーザーにとっては、滅多に印刷しない機密性のある情報のために、プロテクトモードを設定して利便性を犠牲にしているという現実がある。
【０００７】
本発明は、上記のような事情に鑑み、上記のようなユーザーの利便性の低下を最小限に抑えるとともに、機密性のある文書情報の保護を適切に行なうことができる孔版印刷装置を提供することを目的とするものである。
【課題を解決するための手段】
【０００８】
本発明の孔版印刷装置は、所定の画像情報に基づいて製版された製版済孔版原紙を使用して孔版印刷を行う印刷部と、印刷部で使用された使用済孔版原紙が送り込まれる着脱可能な排版ボックスとを備えた孔版印刷装置において、画像情報の機密性の有無を表す機密性識別情報に基づいて、画像情報に機密性が有ると判断された場合には少なくとも排版ボックスの取り外しを禁止するプロテクトモードを設定するプロテクトモード設定手段と、プロテクトモード設定手段によりプロテクトモードが設定された場合には排版ボックスの取り外しを禁止する排版ボックスロック手段と、特定のロック解除条件に基づいて、排版ボックスロック手段による排版ボックスの取り外しの禁止を解除する解除手段と、解除手段により取り外しの禁止が解除された排版ボックスが取り外されたことまたは取り外された後に設置されたことを検出する着脱検出手段とを備え、プロテクトモード設定手段が、着脱検出手段により排版ボックスが取り外されたことまたは取り外された後に設置されたことが検出された場合には、プロテクトモードを解除するものであることを特徴とする。
【０００９】
ここで、上記「排版ボックスが取り外された」とは、排版ボックスが装置本体から完全に取り外された場合に限らず、排版ボックスが装置本体から抜き出された場合なども含み、要は、排版ボックス内の使用済孔版原紙が取り出せる状態になったことを意味する。
【００１０】
また、上記本発明の孔版印刷装置においては、排版ボックスが満タンになったことを検出する満タン検出手段をさらに備えるものとし、解除手段を、排版ボックス検出手段により排版ボックスが満タンになったことが検出された場合に排版ボックスロック手段による排版ボックスの取り外しの禁止を解除するものとすることができる。
【００１１】
また、排版ボックスに送り込まれる途中での使用済孔版原紙のジャムを検出するジャム検出手段をさらに備えるものとし、解除手段を、ジャム検出手段により使用済孔版原紙のジャムが検出された場合に排版ボックスロック手段による排版ボックスの取り外しの禁止を解除するものとすることができる。
【００１２】
また、排版ボックスが空になったことを検出する空検出手段とをさらに備え、プロテクトモード設定手段を、着脱検出手段により排版ボックスが取り外されたことまたは取り外された後に設置されたことが検出され、かつ空検出手段により排版ボックスが空になったことが検出された場合に、プロテクトモードを解除するものとすることができる。
【００１３】
また、機密性識別情報と画像情報とを含む印刷ジョブを受け付ける印刷ジョブ受付手段をさらに備えるものとし、プロテクトモード設定手段を、印刷ジョブにおける機密性識別情報に基づいて、プロテクトモードを設定するものとすることができる。
【発明の効果】
【００１４】
本発明の孔版印刷装置によれば、画像情報の機密性の有無を表す機密性識別情報に基づいて、画像情報に機密性が有ると判断された場合には、プロテクトモードを設定して排版ボックスの取り外しを禁止し、特定のロック解除条件に基づいて、排版ボックスの取り外しの禁止が解除され、排版ボックスが取り外されたことまたは取り外された後に設置されたことを検出された場合には、プロテクトモードを解除するようにしたので、排版ボックスが取り外されて機密性のある使用済孔版原紙が廃棄された後に、管理者を必要とすることなく適切にプロテクトモードを解除することができ、機密性のある文書情報の保護を適切に行なうとともに、ユーザーの利便性の低下を最小限に抑えることができる。
【００１５】
また、上記本発明の孔版印刷装置において、排版ボックスが満タンになったことが検出された場合に排版ボックスの取り外しの禁止を解除するようにした場合には、プロテクトモードが設定されていても排版ボックスから使用済孔版原紙を適切に廃棄することができる。
【００１６】
また、使用済孔版原紙のジャムが検出された場合に排版ボックスの取り外しの禁止を解除するようにした場合には、プロテクトモードが設定されていても適切にジャムの解除を行なうことができる。
【００１７】
また、排版ボックスが取り外されたことまたは取り外された後に設置されたことが検出され、かつ空検出手段により排版ボックスが空になったことが検出された場合に、プロテクトモードを解除するようにした場合には、機密性のある使用済孔版原紙が廃棄されたことを確実に確認した上でプロテクトモードを解除することができる。
【００１８】
また、機密性識別情報と画像情報とを含む印刷ジョブを受け付け、印刷ジョブにおける機密性識別情報に基づいて、プロテクトモードを設定するようにした場合には、一旦プロテクトモードが解除されたとしても、再び、機密性のある画像情報を印刷する際には、適切にプロテクトモードに設定することができる。
【発明を実施するための最良の形態】
【００１９】
以下、図面を参照しながら本発明の孔版印刷装置の一実施形態について説明する。図１は本孔版印刷装置の概略構成図である。
【００２０】
本孔版印刷装置１は、図１に示すように、原稿の画像を読み取る原稿読取部１０、原稿読取部１０で読み取られた画像情報に基づいて孔版原紙Ｍに製版処理を施す製版部２０、製版部２０において製版された孔版原紙Ｍを用いて印刷用紙に印刷を施す印刷部３０、印刷部３０に印刷用紙を給紙する給紙部４０、印刷済みの印刷用紙を排出する排紙部５０、および使用済孔版原紙Ｍ’が送り込まれる排版部６０を備えている。
【００２１】
原稿読取部１０は、原稿が載置される原稿台１１と、原稿台１１に載置された原稿を押圧する押圧板１２と、原稿の画像情報を光電的に読み取るラインイメージセンサ１３と、ラインイメージセンサ１３を副走査方向（図１中矢印Ａ方向）に搬送するセンサ搬送部１４とを備えている。そして、センサ搬送部１４は、ラインイメージセンサ１３が取り付けられる搬送ベルト１４ａと、搬送ベルト１４ａを搬送する搬送ローラ１４ｂとを備えている。
【００２２】
製版部２０は、原紙ロール部２１と、複数個の発熱体が一列に配列されてなるサーマルヘッドを有する製版ユニット２２と、原紙ロール部２１から繰り出された孔版原紙Ｍを送り出す原紙送りローラ２３、２４と、原紙送りローラ２３,２４の回転を駆動する駆動モータ２５と、原紙送りローラ２３,２４により送り出された孔版原紙Ｍを所定の長さでカットする原紙カッタ２６とを備えている。
【００２３】
印刷部３０は、多孔金属板、メッシュ構造体などのインク通過性の円筒状の印刷ドラム３１、印刷ドラム３１の内部に配置されたスキージローラ３２と、ドクターローラ３３と、インク供給ポンプ３４と、プレスローラ３５とを備えている。印刷ドラムの外周には製版済孔版原紙Ｍが巻き付けられて装着されるようになっている。
【００２４】
給紙部４０は、印刷用紙Ｐが載置される給紙台４１と、給紙台４１より印刷用紙Ｐを一枚ずつ取り出すピックアップローラ４２と、印刷用紙Ｐを印刷ドラム３１とプレスローラ３５との間に送り出すタイミングローラ４３とを備えている。なお、給紙台４１は、孔版印刷時には、印刷用紙Ｐの減少にともなって図１における矢印Ｂの上方向に移動し、新たに印刷用紙を補給する際には、矢印Ｂの下方向に移動するものである。
【００２５】
排紙部５０は、印刷済印刷用紙Ｐ’を印刷ドラム３１より剥ぎ取る剥取爪５１と、剥取爪５１により印刷ドラム３１から剥ぎ取られた印刷済印刷用紙Ｐ’を後述する排紙台５３まで搬送する排紙送りベルト部５２と、排紙送りベルト部５２により搬送された印刷済印刷用紙Ｐ’が積載される排紙台５３とを備えている。
【００２６】
排版部６０は、印刷部３０の一方の側に設けられ、印刷ドラム３１から引き剥がされた使用済孔版原紙Ｍ’が送り込まれる排版ボックス６１と、印刷ドラム３１から使用済孔版原紙Ｍ’を引き剥がして排版ボックス６１内へ送り込む排版ローラ６２と、排版ローラ６２により使用済孔版原紙Ｍ’が搬送されている途中での使用済孔版原紙Ｍ’のジャムを検出するジャム検出部６３と、排版ボックス６１の着脱を検出する着脱検出部６４と、排版ボックス６１の装置本体からの取り外しを禁止するよう排版ボックス６１をロックする排版ボックスロック機構６５と、排版ボックス６１内の使用済孔版原紙Ｍ’が満タンになったことを検出する満タン検出部６６と、排版ボックス６１内が空になったことを検出する空検出部６７とを備えている。
【００２７】
ジャム検出部６３は、一対の受発光センサで構成されており、排版ローラ６２により使用済孔版原紙Ｍ’が排版ボックス６１内に送り込まれる際、使用済孔版原紙Ｍ’の先端の通過を検知してから所定時間内に後端の通過を検知しない場合に、使用済孔版原紙Ｍ’のジャムの発生を検出するものである。
【００２８】
着脱検出部６４は、排版ボックス６１が設置される場所に設けられた接触センサを備え、その接触センサにより排版ボックス６１が接触しているか否かを検出し、接触していることを検出している間は排版ボックス６１が装着されていることを示す信号を出力し、接触していることを検出していない間は排版ボックス６１が取り外されていることを示す信号を出力するものである。なお、図１においては、着脱検出部６４のうちの接触センサのみを示しており、排版ボックス６１が装着されているか、取り外されているかの判断は接触センサによって検出された信号に基づいて、後述する制御部８０が行なう。
【００２９】
排版ボックスロック機構６５は、排版ボックス６１に設けられた切りかき状の凹部と、孔版印刷装置１の本体側に設けられたソレノイドにより回動制御されるフックとからなり、該フックは、制御部８０からソレノイドに対して制御信号を送出することにより、切りかき状の凹部と係合する位置と離間する位置とをとることができる。そして、フックと凹部とが係合した状態では、排版ボックス６１が孔版印刷装置１本体から取り外せないように設計されている。
【００３０】
満タン検出部６６は、排版ボックス６１内に収容された使用済孔版原紙Ｍ’を回動動作により圧縮するための圧縮板と、当該圧縮板に設けられた圧力検知部材とを備え、排版動作に伴い圧縮板が回動動作する際に、圧力検知部材が所定の圧力を検知したときの圧縮板の回動角度が所定の角度以内である場合に満タンを検知する。これは、排版ボックス６１内に存在する使用済孔版原紙Ｍ’が多くなればなるほど、圧縮版の回動動作を行なう上での圧力が多くかかることを利用したものである。
【００３１】
空検出部６７は、排版ボックス６１内に使用済孔版原紙Ｍ’が存在しないことを検出するためのものであり、その光路が排版ボックス６１を上下に貫通するよう孔版印刷装置１本体に設けられた受発光センサで構成される。
【００３２】
また、図２に示すように、上述した各部は、制御部８０に接続されており、制御部８０が各部の制御を行なう。また、図１においては図示省略したが、本孔版印刷装置１には、図２に示すようにパネル部７０が設けられている。パネル部７０は、液晶タッチパネルから構成されており、たとえば、孔版印刷装置１の種々の動作を指示する画面や、たとえば、プロテクトモードなどの種々の設定を選択する画面などを表示するものである。
【００３３】
また、図３に示すように、本孔版印刷装置１には、画像情報を編集可能なパソコン９０が接続されている。パソコン９０には、プリンタドライバ９１がインストールされており、そのプリンタドライバ９１において所定のソフトウェアで編集された画像情報とその画像情報の機密性の有無を表す機密性識別情報とを有する印刷ジョブが生成され、孔版印刷装置１に向けて出力される。
【００３４】
そして、孔版印刷装置１の制御部８０には、図３に示すように、パソコン９０から出力された印刷ジョブを受け付ける印刷ジョブ受付部８１と、印刷ジョブ受付部８１により受付けられた印刷ジョブにおける機密性識別情報の有無を判断する機密性識別情報判断部８２と、機密性識別情報判断部８２により印刷ジョブに機密性識別情報が含まれていると判断された場合には、装置全体をプロテクトモードに設定するとともに、着脱検出部６４により排版ボックス６１が取り外されたことが検出され、かつ空検出部６７により排版ボックス６１が空になったことが検出された場合にはプロテクトモードを解除するプロテクトモード設定部８３と、ジャム検出部６３により使用済孔版原紙Ｍ’のジャムが検出された場合または満タン検出部６６により排版ボックス６１が満タンになったことが検出された場合に、排版ボックスロック機構６５により排版ボックス６１のロックを解除するロック解除部８４とを備えている。
【００３５】
次に、本孔版印刷装置の作用について、図４に示すフローチャートを用いて説明する。
【００３６】
まず、パソコン９０において画像情報が編集され、プリンタドライバ９１により表示された画面において上記画像情報が機密性があるものであるか否かがチェックボックスなどで選択される。そして、機密性があるものであることが選択された場合には、その画像情報に機密性識別情報が付加され、画像情報と機密性識別情報とを含む印刷ジョブが生成され、その印刷ジョブが孔版印刷装置１に出力される。一方、プリンタドライバ９１により表示された画面において上記画像情報が機密性がないものであることが選択された場合には、機密性識別情報が付加されることなく、画像情報を含む印刷ジョブが生成され、その印刷ジョブが孔版印刷装置１に出力される。
【００３７】
そして、パソコン９０から出力された印刷ジョブは、孔版印刷装置１の印刷ジョブ受付部８１によって受け付けられる（Ｓ１０）。そして、印刷ジョブ受付部８１によって受け付けられた印刷ジョブは機密性識別情報判断部８２に出力され、機密性識別情報判断部８２において、印刷ジョブに機密性識別情報が含まれているか否かが判断される（Ｓ１２）。そして、機密性識別情報判断部８２において、印刷ジョブに機密性識別情報が含まれていると判断された場合には、その旨がプロテクトモード設定部８３に出力され、プロテクトモード設定部８３は、装置全体をプロテクトモードに設定する（Ｓ１６）。一方、機密性識別情報判断部８２において、印刷ジョブに機密性識別情報が含まれていないと判断された場合には、プロテクトモードは設定されず、そのまま通常モードのままとなる（Ｓ１４）。なお、デフォルトでは通常モードに設定されているものとする。また、通常モードとは、プロテクトモードのように画像情報の機密保護に関する機能が設定されないモードのことをいう。
【００３８】
そして、本実施形態の孔版印刷装置１においては、上記のようにプロテクトモードに設定されると、排版ボックスロック機構６５により排版ボックス６１がロックされ、排版ボックス６１の取外しが禁止される（Ｓ１８）。また、プロテクトモードに設定されると、排版ボックス６１の取外しの禁止だけでなく、印刷ドラム３１の取出しが禁止され、また、刷り増しの禁止などが設定される。なお、ここで刷り増しとは、最初に設定した印刷枚数が印刷し終わった後に、さらに印刷枚数を設定して印刷を行うことをいう。また、本実施形態の孔版印刷装置１においては、プロテクトモードとして、上記のように排版ボックス６１および印刷ドラム３１の取出しと刷り増しの禁止を設定するようにしたが、これに限らず、その他の画像情報の機密保護に関する機能を設定するようにしてもよい。
【００３９】
そして、その後、製版および印刷が行われる（Ｓ２０）。まず、原紙ロール部２１におけるマスターホルダーに設置された孔版原紙ロールから予め設定された１枚の製版分の長さの孔版原紙Ｍが繰り出される。そして、印刷ジョブに含まれた画像情報に基づいて、製版ユニット２２のサーマルヘッドの複数個の発熱体が各々個別に選択的に発熱することにより感熱穿孔製版され、その製版済孔版原紙Ｍは、原紙送りローラ２３,２４によって送り出され、原紙カッタ２６により切断されて印刷ドラム３１に巻着される。
【００４０】
そして、次に、自動的にインク供給ポンプ３４により印刷ドラム３１の内側にインクが供給される。そして、印刷ドラム３１が図１における矢印Ｃ方向へ回転駆動されると印刷ドラム３１の回転に同期して所定のタイミングにて印刷用紙Ｐがピックアップローラ４２によって給紙台４１から繰り出され、タイミングローラ４３により図１における左から右へ移動して印刷ドラム３１とプレスローラ３５との間に供給される。そして、印刷用紙Ｐがドラムの外周面に巻き付けられている製版済孔版原紙Ｍに対し、プレスローラ３５によって圧接されることにより印刷用紙Ｐに対して孔版印刷が行われる。
【００４１】
そして、印刷ドラム３１が所定の角度だけ回転して１枚の印刷用紙Ｐへの孔版印刷が終了すると、その印刷済印刷用紙Ｐ’は剥取爪５１により印刷ドラム３１から剥ぎ取られ、その印刷ドラム３１から剥ぎ取られた印刷済印刷用紙Ｐ’は排紙送りベルト部５２により排紙台５３まで搬送され、排紙台５３に積載される。
【００４２】
そして、予め設定された印刷枚数の印刷が終了すると、印刷ドラム３１から使用済孔版原紙Ｍ’が引き剥がされ、排版ローラ６２により排版ボックス６１に送り込まれて排版が行なわれる（Ｓ２２）。
【００４３】
そして、満タン検出部６６により排版ボックス６１が満タンになったことが検出されたか否かが確認され（Ｓ２４）、排版ボックス６１が満タンであることが検出されていない場合には、引き続き製版、印刷および排版が行なわれる。一方、満タン検出部６６により排版ボックス６１が満タンであることが検出された場合には、その旨がロック解除部８４に報知され、ロック解除部８４は排版ボックスロック機構６５による排版ボックス６１のロックを解除し、排版ボックス６１を取外可能にする（Ｓ２６）。
【００４４】
そして、排版ボックス６１が満タンになった旨がパネル部７０に表示され、操作者により排版ボックス６１が取り出され、排版ボックス６１内の使用済孔版原紙Ｍ’が廃棄され、空になった排版ボックス６１が再び装置本体に設置される。
【００４５】
そして、上記のようにして排版ボックス６１が取り外されたことが、着脱検出部６４に検出され（Ｓ２４）、かつ排版ボックス６１内が空になったことが空検出部６７によって検出されると（Ｓ２８）、プロテクトモード設定部８３はプロテクトモードを解除して通常モードに設定する（Ｓ３２）。なお、本実施形態においては、上記のように着脱検出部６４により排版ボックス６１が取り外されたことを検出するようにしたが、これに限らず、排版ボックス６１が取り外された後に設置されたことを検出するようにしてもよい。
【００４６】
なお、上記実施形態の説明においては、パソコン９０から出力された印刷ジョブに基づいて孔版印刷装置１において孔版印刷を行う例について説明したが、上記実施形態の孔版印刷装置１においては、原稿読取部１０において原稿を読み取った画像情報に基づいて孔版印刷を行うことも可能である。原稿読取部１０において原稿を読み取った画像情報に基づいて孔版印刷を行う場合におけるプロテクトモードの設定については、たとえば、パネル部７０においてプロテクトモードを選択可能な画面を表示し、その画面においてプロテクトモードを選択するようにすればよい。そして、パネル部７０においてプロテクトモードが選択された場合には、機密性識別情報を機密性識別情報判断部８２に出力し、機密性識別情報判断部８２において、機密性識別情報があると判断された場合に、プロテクトモード設定部８３によりプロテクトモードに設定するようにすればよい。または、原稿に機密性識別情報を表すマークや文字などを付けておき、原稿読取部１０によって読み取られた情報に上記マークや文字を読み取った情報が含まれているか否かを機密性識別情報判断部８２において判断し、上記マークや文字を読み取った情報が含まれている場合に、プロテクトモード設定部８３によりプロテクトモードに設定するようにしてもよい。なお、プロテクトモードに設定した後の作用については、原稿読取部１０において原稿を読み取った画像情報に基づいて製版を行うことを除いては、上述した印刷ジョブに基づいて孔版印刷を行う例と同様である。
【００４７】
また、上記実施形態の説明においては、排版ボックス６１が満タンになったことが検出された場合に、排版ボックス６１のロックを解除するようにしたが、これに限らず、たとえば、図５のフローチャートに示すように、使用済孔版原紙Ｍ’の搬送途中でのジャムがジャム検出部６３により検出された場合に、排版ボックス６１のロックを解除するようにしてもよい。もちろん、排版ボックス６１の満タン検出時またはジャム検出時のみにロックを解除するようにしてもよいし、いずれか一方が検出された時にロックを解除するようにしてもよい。
【００４８】
また、排版ボックス６１のロックを解除する解除条件としては、上記のような排版ボックス６１の満タン検出やジャム検出に限らず、たとえば、図６のフローチャートに示すように、パネル部７０において排版ボックス取出ボタンが押下されたか否かを確認し（Ｓ３４）、排版ボックス取出ボタンが押下されたことが確認された場合には、パネル部７０に認証画面を表示し（Ｓ３６）、その認証画面において操作者により特定の認証情報が入力されたか否かを確認し（Ｓ３８）、操作者により特定の認証情報が入力されて認証が成功した場合に、排版ボックス６１のロックを解除するようにしてもよい。なお、認証画面における認証が成功しなかった場合には、一定時間が経過するまでは認証画面を表示したままにして認証情報の入力を可能にし、一定時間経過するまでに認証が成功しなかった場合には、認証画面の表示をやめて、再度Ｓ３４に戻って排版ボックス取出ボタンの押下の確認から行なうようにする（Ｓ４０）。
【００４９】
また、上記実施形態の孔版印刷装置１においては、排版ボックス６１の取外しを検出し、かつ排版ボックス６１が空であることを検出した後、プロテクトモードを解除するようにしたが（図４のフローチャート参照）、排版ボックス６１が空であることを検出したか否かに関わらず、排版ボックス６１の取外しまたは取り外した後の設置が検出されたときに、プロテクトモードを解除するようにしてもよい。
【００５０】
また、上記実施形態の説明においては、最初の印刷ジョブを受け付けたときの処理の流れについて説明したが、次の印刷ジョブを受け付けた場合には、図７のフローチャートに示すような処理と流れとなる。
【００５１】
まず、上述したようにパソコン９０において生成された次の印刷ジョブが孔版印刷装置１に出力され、その印刷ジョブは、孔版印刷装置１の印刷ジョブ受付部８１によって受け付けられる（Ｓ５０）。そして、印刷ジョブ受付部８１によって受け付けられた印刷ジョブは機密性識別情報判断部８２に出力され、機密性識別情報判断部８２において、印刷ジョブに機密性識別情報が含まれているか否かが判断される（Ｓ５２）。そして、機密性識別情報判断部８２において、印刷ジョブに機密性識別情報が含まれていると判断された場合には、その旨がプロテクトモード設定部８３に出力され、プロテクトモード設定部８３は、装置全体をプロテクトモードに設定する（Ｓ５４）。一方、機密性識別情報判断部８２において、印刷ジョブに機密性識別情報が含まれていないと判断された場合には、現在、プロテクトモード設定部８３によりプロテクトモードに設定されているか否かが確認される（Ｓ６８）。そして、プロテクトモードに設定されていない場合には、そのまま通常モードが維持され（Ｓ７０）、印刷ジョブに基づいて製版および印刷が行われた後（Ｓ７２）、再び印刷ジョブの受付けを待つ状態となる。一方、Ｓ６８においてプロテクトモードが設定されていることが確認された場合には、そのままプロテクトモードが維持される（Ｓ５４）。
【００５２】
そして、Ｓ５４において新たにプロテクトモードが設定された場合には、上記実施形態
の説明と同様に、排版ボックス６１のロック、排版ボックス６１の取外しの禁止および刷り増しの禁止などが設定される。また、Ｓ５４においてプロテクトモードが維持された場合には、排版ボックス６１のロック、排版ボックス６１の取外しの禁止および刷り増しの禁止などがそのまま維持される。
【００５３】
そして、その後、製版および印刷が行われる（Ｓ５６）。製版から印刷および排版までの処理の流れは、上記実施形態の説明と同様である。
【００５４】
そして、上述した排版ボックス６１の満タン検出、排版ジャム検出、または特定の認証情報の入力などのロック解除条件に合致したか否かが確認され（Ｓ５８）、ロック解除条件に合致していない場合には、引き続き印刷ジョブの入力が受け付けられ、製版、印刷および排版が行なわれる。一方、Ｓ５８においてロック解除条件に合致した場合には、その旨がロック解除部８４に報知され、ロック解除部８４は排版ボックスロック機構６５による排版ボックス６１のロックを解除し、排版ボックス６１を取外可能にする（Ｓ６０）。
【００５５】
そして、操作者により排版ボックス６１が取り出され、排版ボックス６１内の使用済孔版原紙Ｍ’が廃棄され、空になった排版ボックス６１が再び装置本体に設置される。
【００５６】
そして、上記のようにして排版ボックス６１が取り外されたことが、着脱検出部６４に検出され（Ｓ６２）、かつ排版ボックス６１内が空になったことが空検出部６７によって検出されると（Ｓ６４）、プロテクトモード設定部８３はプロテクトモードを解除して通常モードに設定する（Ｓ６６）。そして、次の印刷ジョブの受付けを待つ状態となる。
【図面の簡単な説明】
【００５７】
【図１】本発明の孔版印刷装置の一実施形態の概略構成を示す断面図
【図２】本発明の孔版印刷装置の一実施形態の概略構成を示すブロック図
【図３】本発明の孔版印刷装置の一実施形態の制御部の構成を示す図
【図４】本発明の孔版印刷装置の一実施形態の作用の一例を説明するためのフローチャート
【図５】本発明の孔版印刷装置の一実施形態のその他の作用を説明するためのフローチャート
【図６】本発明の孔版印刷装置の一実施形態のその他の作用を説明するためのフローチャート
【図７】本発明の孔版印刷装置の一実施形態のその他の作用を説明するためのフローチャート
【符号の説明】
【００５８】
１    孔版印刷装置
１０    原稿読取部
１１    原稿台
１２    押圧板
１３    ラインイメージセンサ
１４    センサ搬送部
２０    製版部
２１    原紙ロール部
２２    製版ユニット
２３,２４    原紙送りローラ
２５    駆動モータ
２６    原紙カッタ
３０    印刷部
３１    印刷ドラム
３２    スキージローラ
３３    ドクターローラ
３４    インク供給ポンプ
３５    プレスローラ
４０    給紙部
４１    給紙台
４２    ピックアップローラ
４３    タイミングローラ
５０    排紙部
５１    剥取爪
５２    排紙送りベルト部
５３    排紙台
６０    排版部
６１    排版ボックス
６２    排版ローラ
６３    ジャム検出部
６４    着脱検出部
６５    排版ボックスロック機構
６６    満タン検出部
６７    空検出部
７０    パネル部
８０    制御部
８１    印刷ジョブ受付部
８２    機密性識別情報判断部
８３    プロテクトモード設定部
８４    ロック解除部
９０    パソコン
９１    プリンタドライバ
【図１】
2009208342.tif 000003
【図２】
2009208342.tif 000004
【図３】
2009208342.tif 000005
【図４】
2009208342.tif 000006
【図５】
2009208342.tif 000007
【図６】
2009208342.tif 000008
【図７】
2009208342.tif 000009